(57)【要約】      （修正有）【課題】積み重ねて保管するのに便利で、使い捨てのカトラリーにも適した引っ掛け付きカトラリーを提供する。【解決手段】本考案のカトラリーは、把持部３０及び上記把持部の片側に延在する食物載せ部４０を含む。上記把持部にはスロット３５が設けられ、これによって上記把持部の一部分に舌部３２を形成し、上記舌部は上記把持部の連接位置に沿って折り曲げられ、上記連接位置は、上記舌部の揺動を許容する。このように、カトラリーを使用する前には舌部をカトラリーの表面に突出させることで、舌部と把持部がフック状になり、カトラリーをスムーズに碗の縁に引っ掛けることができる。上記の構造を備えたカトラリーを保管する時には、突出する舌部構造はまだ存在しないため、弧面を有するカトラリーを多数積み重ねることができる。【選択図】図１
0003235115.tif 000002
【実用新案登録請求の範囲】
【請求項１】
カトラリーであって、
把持部及び前記把持部の片側から延在する食物載せ部を含み、
前記把持部にはスロットが設けられ、
前記スロットによって前記把持部の一部分に舌部を形成し、
前記舌部は前記把持部の連接位置において連接されており、
前記把持部は可撓性を有する材質であり、又は前記把持部の前記連接位置は可撓性構造であり、
前記舌部が前記連接位置に沿って揺動可能であることを特徴とする、
カトラリー。
【請求項２】
前記舌部の表面と前記把持部の凹面が一体成形である、請求項１に記載のカトラリー。
【請求項３】
前記舌部が凸部を有する、請求項１に記載のカトラリー。
【請求項４】
前記舌部は凸部を有し、かつ前記凸部の突起方向は、前記凹面のくぼんだ表面と同じ方向である、請求項２に記載のカトラリー。
【請求項５】
前記把持部の前記連接位置の厚みは、前記把持部のその他の位置の厚みより薄い、請求項１に記載のカトラリー。
【請求項６】
前記連接位置において前記舌部の湾曲後に折り目が形成される、請求項１に記載のカトラリー。
【考案の詳細な説明】
【技術分野】
【０００１】
本考案は、使い捨てカトラリーに関し、特に積み重ねてまとめるのに便利な、引っ掛け付きカトラリーの改良した構造に関する。
【背景技術】
【０００２】
カトラリーは通常、食物を載せる構造（ナイフ・フォーク）及び使用者が把持するための構造（柄）を含み、一時的にカトラリーを使用しない時は、食事マナーに基づき、又は衛生面を考慮して、カトラリーを一時的に碗や皿の縁に凭せ掛ける。滑らかな輪郭を有するカトラリー、例えばチリレンゲは、碗や皿に沿って滑り落ちやすく、さらにスープの中に落ちてしまいやすい。
【０００３】
市販されている製品には、チリレンゲの把持部分にフック式の構造を追加したものがあり、フックは碗や皿の縁に引っ掛けることができ、これによって、チリレンゲが滑り落ちるのを防ぐことができる。フックの形状を維持するため、フックを有するチリレンゲは全て硬質材料、例えばステンレス又は厚みのあるプラスチックを使用して製造され、かつフックの大半はチリレンゲの下方に位置する。このような構造は、使い捨てのカトラリーの製造には不都合であり、カトラリーを積み重ねて保管するのにも不便である。
【考案の概要】
【０００４】
以上に鑑み、本考案は、把持部及び上記把持部の片側から延在する食物載せ部を含むカトラリーを提供する。本考案は、上記把持部にスロットが設けられ、これによって上記把持部の一部分に舌部を形成し、上記舌部は上記把持部の連接位置において連接されていることを特徴とする。その内、上記把持部は可撓性を有する材質であり、又は上記把持部の上記連接位置は可撓性構造である。
【０００５】
この構造により、カトラリーを使用する前には、舌部をカトラリーの表面に突出させることで、舌部と把持部がフック状になり、カトラリーをスムーズに碗の縁に引っ掛けることができる。また、上記の構造を備えたカトラリーを保管する時には、突出する舌部構造はまだ存在しないため、弧面を有するカトラリーを多数積み重ねることができる。
【０００６】
さらに、上記舌部の表面と上記把持部の凹面は一体成形であり、舌部を折り曲げた後、舌部の連接位置を、わずかにくぼんだ状態を呈するように微調整することで、舌部をよりまっすぐに立てることが可能である。
【０００７】
また、上記舌部は凸部を有し、使用者がそれを押すことで舌部が把持部の表面に突出する。
【０００８】
さらに、上記舌部は凸部を有し、かつ上記凸部の突起方向は、上記凹面のくぼんだ表面と同じ方向である。
【０００９】
さらにまた、上記把持部の上記連接位置の厚みは、上記把持部のその他の位置の厚みより薄く、舌部をより容易に折り曲げられる。
【００１０】
さらに、上記連接位置は、上記舌部が湾曲した後、折り目を形成する。
【図面の簡単な説明】
【００１１】
【図１】チリレンゲの外観図である。
【図２】図１の側面図である。
【図３】チリレンゲの使用状態の図である。
【図４】チリレンゲの使用状態の図である。
【図５】チリレンゲの使用状態の図である。
【考案を実施するための形態】
【００１２】
本実施形態においては、弧面を有するチリレンゲをカトラリーとした実施例について説明するが、本考案は、弧面を有するその他の種類のカトラリー、例えばフォーク又は複合式カトラリーに応用可能であり、これに限定されない。
【実施例】
【００１３】
図１、図２は、チリレンゲを図示したものである。
チリレンゲは、把持部３０及び把持部３０の片側に延在する食物載せ部４０を含む。食物載せ部４０はチリレンゲにおいて食物をすくいとるのに用いる部分であり、把持部３０は使用者の手で把持することによりチリレンゲを操作する部分である。把持部３０は、射出成形、プレス成形又は切削方式によりスロット３５を形成することで、把持部３０の一部分に舌部３２を形成し、舌部３２の把持部３０における位置は、チリレンゲの把持部３０の長さ又は碗の深さに基づいて決めることができる。
【００１４】
スロット３５の二つの後端の連接線は、舌部３２と把持部３０のその他の部分との連接位置３３を形成する。把持部３０の厚みは、連接位置３３で折り曲げた後に折り目を形成するが断裂しないように十分に薄く設計可能であり、舌部３２を形成した後、把持部３０の連接位置３３に沿って揺動させることができる。
【００１５】
図３、図４のように、チリレンゲをまもなく使用する時に舌部３２をチリレンゲの表面に突出させることで、舌部３２と把持部３０がチリレンゲのフックになり、チリレンゲをスムーズに碗１０の縁に引っ掛けることができる。チリレンゲを保管する時には、突出する舌部３２はまだ存在しないため、多くのチリレンゲの積み重ねが可能であり、この種のチリレンゲを使い捨てのカトラリーとして使用するのに好都合である。
【００１６】
図５はチリレンゲの別の使用形態を図示したものであり、図４の実施形態との違いは、チリレンゲの舌部３２の上表面と凹面３１の下表面が碗１０の縁で支えられ、食物載せ部４０を碗の内側に向けていることである。
【００１７】
さらに、チリレンゲの製造時に、まず凹面３１を有する把持部３０を形成し、射出成形、プレス成形又は切削方式によって舌部３２を形成する。このようにすれば、舌部３２の表面も凹面になるため、舌部３２を下向きに折り曲げた後、舌部３２のくぼんだ表面と把持部３０の突起の表面が、挟持する構造の２つの表面を形成でき、フックをよりしっかりしたものにする。舌部３２を折り曲げた後、舌部の連接位置をわずかにくぼんだ状態を呈するように微調整することで、舌部をよりまっすぐに立てることが可能である。
【００１８】
さらに、把持部３０の連接位置の厚みは、把持部３０のその他の位置の厚みより薄く、これによって舌部３２をより容易に折り曲げられる。
【００１９】
さらに、舌部３２は凸部３６を有し、使用者がそれを押すことで舌部３２が後方に向けて把持部３０の表面に突出し、チリレンゲが碗１０の縁に引っ掛かっている時に、凸部３６にも挟持する作用が生ずる。このほか、舌部３２の凸部３６は、凹面３１のくぼんだ表面に向けて突起しており、使用者が何も考えなくても、舌部３２を後方へ突出させることでフックの構造をつくることができる。
【００２０】
本実施形態において、チリレンゲの材質はプラスチック類の高分子材料であり、把持部３０の厚みは、連接位置３３で折り曲げた後に折り目を形成するが断裂しないように十分に薄くすることができる。折り目は舌部３２が把持部３０の連接位置３３に沿って揺動する可撓性構造である。
【００２１】
その他の実施形態において、チリレンゲの材質はシリコーンゴムとしてもよく、舌部を連接位置に沿って湾曲させ、碗の縁を把持部の背面と舌部の表面で挟持させることで、類似の効果を達成できる。
【符号の説明】
【００２２】
１０  碗
３０  把持部
３１  凹面
３２  舌部
３３  連接位置
３５  スロット
３６  凸部
４０  食物載せ部
【図１】
0003235115.tif 000003
【図２】
0003235115.tif 000004
【図３】
0003235115.tif 000005
【図４】
0003235115.tif 000006
【図５】
0003235115.tif 000007